(57)【要約】【課題】ケーブル類の移動時にケーブル類との相対的な位置ズレ、擦れ、引き攣れを規制して摩耗粉の発生を抑制して優れた耐久性を発揮し、保守メンテナンスなどの簡便な取り扱いを達成できるケーブル保護案内具を提供すること。【解決手段】左右一対の側面板１１１、１１１の内周側端部に横架する内周側連結板１１２と外周側端部に横架する外周側連結板１１３とで構成された矩形状横断面のリンク体１１０が相互に屈曲自在に多数連結されてなるケーブル保護案内具１００において、ケーブル内挿空間Ｚに向けて外周側連結板１１３の前方から延長して突出したケーブル押圧部１１３ｂが、ケーブル内挿空間の真っすぐな領域Ｚ１でケーブル類Ｃを内周側連結板１１２へ押さえ込んで保持し、ケーブル内挿空間の曲がった領域Ｚ２で内周側連結板１１２へ押さえ込まれて保持されたケーブル類Ｃを解放するように設けられていること。【選択図】    図１
2004242481.tif 000002
【特許請求の範囲】
【請求項１】
左右一対の側面板と該側面板の内周側端部に横架する内周側連結板と該側面板の外周側端部に横架する外周側連結板とで構成された矩形状横断面のリンク体が相互に屈曲自在に多数連結され、前記リンク体を多数連結して形成されたケーブル内挿空間でケーブル類を保護して案内するケーブル保護案内具において、
前記ケーブル内挿空間に向けて外周側連結板の前方もしくは後方から延長して突出したケーブル押圧部が、ケーブル内挿空間の真っすぐな領域でケーブル類を内周側連結板へ押さえ込んで保持し、ケーブル内挿空間の曲がった領域で内周側連結板へ押さえ込まれて保持されたケーブル類を解放するように設けられていることを特徴とするケーブル保護案内具。
【請求項２】
前記内周側連結板に、ケーブル内挿空間へ膨出してリンク体連結方向に湾曲する円弧状ケーブル受け面が形成されていることを特徴とする請求項１記載のケーブル保護案内具。
【発明の詳細な説明】
【０００１】
【発明の属する技術分野】
本発明は、可動機械にエネルギーを供給するためのケーブル、ホース等の可撓体からなるケーブル類を保護して案内するケーブル保護案内具に関する。
【０００２】
【従来の技術】
従来のケーブル保護案内具は、離間対向した一対のリンクプレートのそれぞれの上辺と下辺とを上辺結合杆と下辺結合杆とで結合して形成された筒状のリンク体を複数有するケーブルドラグチェーンの上辺結合杆と下辺結合杆のそれぞれの対向面の長手方向に形成された被係合部と、一方の対向面の長手方向に配設された複数の突起と、被係合部に係合する係合部を両端に具えた仕切り板と、仕切り板に具えられ複数の突起の間に係合する係止片とで構成され、ケーブルドラグチェーンの移動時に、仕切り板によってケーブル等が片側に寄り着いたり、捩れ、もつれを生じたりすることなく保護され、ケーブル等の交換作業を容易に行うことができるようになっている（例えば、特許文献１参照）。
【０００３】
【特許文献１】
特公平７−４３００８号公報（第１−２頁、図２−図３）
【０００４】
【発明が解決しようとする課題】
ところが、従来のケーブル保護案内具は、リンクプレートを多数連結して形成したケーブル内挿空間内においてケーブル等を固定することなく内包した状態で保護しており、ケーブル内挿空間の真っすぐな領域から曲がった領域へ移行する部分や曲がった領域から真っすぐな領域へ移行する部分などにおけるリンクプレート相互の多角形運動やケーブル内挿空間における内周側と外周側との円弧の差に起因して、ケーブル類の移動時にケーブル類との間に相対的なズレ、擦れ、引き攣れを頻発させる。
このようなケーブル類との間に相対的な位置ズレ、擦れ、引き攣れが頻発する従来のケーブル保護案内具は、ケーブル類の外表面に摩損や断線などを誘発したり、耐久性を損ねたりするばかりでなく、摩耗粉を発生させて使用環境のクリーン度を悪化させるという問題があった。
【０００５】
そこで、本発明の目的は、前述したような従来技術の問題点を解消するものであって、ケーブル類の移動時にケーブル類との間に発生しがちな相対的な位置ズレ、擦れ、引き攣れを規制して摩耗粉の発生を抑制することができるとともに、優れた耐久性を発揮することができ、保守メンテナンスなどの簡便な取り扱いを達成することができるケーブル保護案内具を提供することである。
【０００６】
【課題を解決するための手段】
本請求項１に係る発明は、左右一対の側面板と該側面板の内周側端部に横架する内周側連結板と該側面板の外周側端部に横架する外周側連結板とで構成された矩形状横断面のリンク体が相互に屈曲自在に多数連結され、前記リンク体を多数連結して形成されたケーブル内挿空間でケーブル類を保護して案内するケーブル保護案内具において、前記ケーブル内挿空間に向けて外周側連結板の前方もしくは後方から延長して突出したケーブル押圧部が、ケーブル内挿空間の真っすぐな領域でケーブル類を内周側連結板へ押さえ込んで保持し、ケーブル内挿空間の曲がった領域で内周側連結板へ押さえ込まれて保持されたケーブル類を解放するように設けられていることによって、上述した課題を解決した。
【０００７】
本請求項２に係る発明は、上述した請求項１に係る発明の構成に加えて、前記内周側連結板に、ケーブル内挿空間へ膨出してリンク体連結方向に湾曲する円弧状ケーブル受け面が形成されていることによって、上述した課題を解決した。
【０００８】
ここで、本発明に用いた側面板の具体的な形状については、矩形状横断面のリンク体を構成して相互に屈曲自在に連結し得る形状であれば、如何なる形状であっても差し支えなく、例えば、小判型形状、楕円型形状、あるいはこれらに類似する形状であっても良い。
【０００９】
そして、本発明の最も特徴とするケーブル押圧部の具体的な形状については、ケーブル内挿空間に向けて段差状、または、「く」の字状に突出するように外周側連結板の前方、もしくは後方から大凡斜めに延長して設けられるが、ケーブル内挿空間の真っすぐな領域でケーブル類を内周側連結板へ押さえ込み、ケーブル内挿空間の曲がった領域で内周側連結板からケーブル類を解放するように設けることが可能であれば、これら以外の形状であっても構わない。
【００１０】
加えて、この外周側連結板をエンジニアリングプラスチックなどで成形加工する場合には、ケーブル押圧部の先端を先細りの薄片状形態としてケーブル類を内周側連結板へ押さえ込むような弾発的な押圧効果を発揮させたり、ケーブル押圧部の先端を素面形態としてケーブル類を内周側連結板へ確実に押さえ込むような滑り止め効果を発揮させたりすることが可能である。
【００１１】
また、上述した外周側連結板をエンジニアリングプラスチックなどで成形加工してケーブル押圧部に弾性機能を付加する場合には、大小各種の押圧部寸法に設計したり、櫛歯状に設計したりして、各種のケーブル径に対応できるようにすることも可能である。
【００１２】
【作用】
本発明のケーブル保護案内具は、左右一対の側面板と該側面板の内周側端部に横架する内周側連結板と該側面板の外周側端部に横架する外周側連結板とで構成された矩形状横断面のリンク体が相互に屈曲自在に多数連結されていることによって、可動機械に伴ってケーブル類を移動させる際にリンク体を多数連結して形成されたケーブル内挿空間でケーブル類を保護して可動機械側に案内する。
【００１３】
特に、本請求項１に係る発明のケーブル保護案内具は、ケーブル内挿空間に向けて外周側連結板の前方もしくは後方から延長して突出するケーブル押圧部を設けたことによって、この外周側連結板に設けられたケーブル押圧部がケーブル内挿空間の真っすぐな領域でリンク体毎にケーブル類を内周側連結板へ押さえ込んで保持し、ケーブル類との間の相対移動を規制してケーブル類の位置ズレ、擦れを抑制する。
また、この外周側連結板に設けられたケーブル押圧部は、ケーブル内挿空間の曲がった領域でリンク体毎に内周側連結板へ押さえ込まれて保持されたケーブル類を解放し、ケーブル類との間の相対移動を許容してケーブル類の相互間に生じがち引き攣れを解消する。
【００１４】
そして、本請求項２に係る発明のケーブル保護案内具は、本請求項１に係る発明のケーブル保護案内具が奏する作用に加えて、前記内周側連結板に、ケーブル内挿空間へ膨出してリンク体連結方向に湾曲する円弧状ケーブル受け面が形成されていることにより、ケーブル類を損傷することなく円滑に接触して押さえ込んだり、ケーブル類から円滑に離反して解放する。
【００１５】
【本発明の実施の形態】
以下、本発明のケーブル保護案内具の好ましい実施の形態である一実施例を図面に基づいて説明する。ここで、図１は、本発明の一実施例であるケーブル保護案内具の全体外観図であり、図２は、第１実施例のケーブル保護案内具で用いたリンク体の拡大図であり、図３は、図１に示すケーブル保護案内具の動作説明図であって、図４は、本発明の変形例であるケーブル保護案内具の動作説明図である。
【００１６】
まず、本発明の一実施例であるケーブル保護案内具１００は、図１乃至図２に示すように、左右一対の側面板１１１、１１１と該側面板１１１、１１１の内周側端部に横架する内周側連結板１１２と該側面板１１１、１１１の外周側端部に横架する外周側連結板１１３とで構成されたエンジニアリングプラスチック樹脂からなる矩形状横断面のリンク体１１０が、先行配置された側面板１１１の連結ピン部１１１ａとこれに重なり合って後続配置された側面板１１１の連結孔部１１１ｂとの嵌合構造によって相互に屈曲自在に多数連結され、図３に示すように、前記リンク体１１０を多数連結して形成されたケーブル内挿空間Ｚ内でケーブル類Ｃを保護して可動機械側に案内するようになっている。
なお、図２における符号１１１ｃは、リンク体１１０の屈曲を規制するための屈曲規制ストッパーであり、符号１１１ｄは、後続して連結するリンク体１１０の屈曲規制ストッパー１１１ｃと係合して所定の屈曲角度に誘導するための屈曲誘導凹部である。
【００１７】
そして、前記外周側連結板１１３は、図２に示すように、左右一対の側面板１１１、１１１に着脱自在に係合され、ケーブル交換などの保守メンテナンスの際にケーブル内挿空間Ｚをリンク体１１０毎に両開き可能に開放してケーブル類Ｃの簡便な取り扱いができるようになっている。すなわち、前記外周側連結板１１３の両端には、一対の連結腕１１３ａ、１１３ａがそれぞれ突設され、他方、左右一対の側面板１１１、１１１には、前記一対の連結腕１１３ａ、１１３ａをリンク体連結方向に弾発的に収納する連結腕収納部１１１ｅが凹設され、また、これら一対の連結腕１１３ａ、１１３ａと連結腕収納部１１１ｅとからなる弾発的な係合構造によって、後述するように外周側連結板１１３がケーブル類Ｃを内周側連結板１１２へ押さえ込んだ場合であっても外周側連結板１１３の不用意な外れを阻止できるようになっている。
【００１８】
次に、図３に示すように、本実施例であるケーブル保護案内具１００が最も特徴としている外周側連結板１１３のケーブル押圧部１１３ｂは、前記ケーブル内挿空間Ｃに向けて段差状に突出するように外周側連結板１１３の前方から延長して設けられている。なお、図３の仮想線は、ケーブル内挿空間Ｚ内のケーブル類Ｃが集束している状態の外郭を示している。
前記ケーブル押圧部１１３ｂの具体的な突出形態については、ケーブル内挿空間の真っすぐな領域Ｚ１でケーブル類Ｃを内周側連結板１１２へ押さえ込み、ケーブル内挿空間の曲がった領域Ｚ２で内周側連結板１１２からケーブル類Ｃを解放するように設けられていれば、如何なる突出形態であっても差し支えなく、図４に示すように、ケーブル内挿空間Ｚに向けて「く」の字状に大凡斜めに突出させても構わない。
【００１９】
また、図４に示すケーブル保護案内具２００は、前述したケーブル保護案内具１００に比較すると、ケーブル押圧部２１３ｂの突出形態において若干の相異しており、その他の構造においては何ら変わるところがないので、図４に図３と対応させた符号を付し、その説明を省略する。
【００２０】
このようにして得られた本実施例のケーブル保護案内具１００は、外周側連結板１１３から延長して突出するケーブル押圧部１１３ｂを設けたことによって、ケーブル内挿空間の真っすぐな領域Ｚ１でリンク体１１０毎にケーブル類Ｃを内周側連結板１１２へ押さえ込んで保持し、ケーブル類Ｃとの間の相対移動を規制してケーブル類Ｃの位置ズレ、擦れを抑制する一方、ケーブル内挿空間の曲がった領域Ｚ２でリンク体１１０毎に内周側連結板１１２へ押さえ込まれて保持されたケーブル類Ｃを解放し、ケーブル類Ｃとの間の相対移動を許容してケーブル類Ｃの相互間に生じがち引き攣れを解消する。すなわち、ケーブル内挿空間の真っすぐな領域Ｚ１から曲がった領域Ｚ２へ移行する部分や曲がった領域Ｚ２から真っすぐな領域Ｚ１へ移行する部分などにおけるリンク体１１０の多角形運動やケーブル内挿空間の曲がった領域Ｚ２における内周側円弧と外周側円弧との差が生じてもケーブル類Ｃの相互間に生じがち引き攣れを解消する。
その結果、本実施例のケーブル保護案内具１００は、ケーブル類Ｃの移動時にケーブル類Ｃが相互に錯綜することなく円滑に順次屈曲することができる。
【００２１】また、ケーブル内挿空間Ｚへ膨出してリンク体連結方向に湾曲する円弧状ケーブル受け面１１２ａが内周側連結板１１２に形成されていることにより、ケーブル類Ｃに損傷を与えることなく滑らかに接触して押さえ込んだり、ケーブル類Ｃから滑らかに離反して解放することができるため、ケーブル内挿空間Ｚで保護されるケーブル類Ｃをリンク体１１０毎に確実に規制することができる。
【００２２】
したがって、本実施例のケーブル保護案内具１００は、ケーブル内挿空間Ｚに向けて外周側連結板１１３の前方から延長して突出したケーブル押圧部１１３ｂが、ケーブル内挿空間の真っすぐな領域Ｚ１でケーブル類Ｃを内周側連結板１１２へ押さえ込んで保持し、ケーブル内挿空間の曲がった領域Ｚ２で内周側連結板１１２へ押さえ込まれて保持されたケーブル類Ｃを解放するように設けられていることによって、ケーブル類Ｃの動きを規制するための別途の部品を用いることなく、ケーブル類Ｃの移動時にケーブル類Ｃとの間に発生しがちな相対的な位置ズレ、擦れ、引き攣れを規制して摩耗粉の発生を抑制するとともに優れた耐久性を発揮することができ、保守メンテナンスなどの簡便な取り扱いを達成することができるなど、その効果は甚大である。
【００２３】
【発明の効果】
本発明では、左右一対の側面板と該側面板の内周側端部に横架する内周側連結板と該側面板の外周側端部に横架する外周側連結板とで構成された矩形状横断面のリンク体が相互に屈曲自在に多数連結されていることによって、可動機械に伴ってケーブル類を移動させる際に、リンク体を多数連結して形成されたケーブル内挿空間でケーブル類を保護して周辺機材と抵触することなく、可動機械側に確実かつ円滑に誘導しながら案内することができ、特に、以下のような本発明に特有の効果を奏することができる。
【００２４】
本請求項１に係る発明のケーブル保護案内具は、ケーブル内挿空間に向けて外周側連結板の前方もしくは後方から延長して突出するケーブル押圧部を設けたことによって、この外周側連結板に設けられたケーブル押圧部が、ケーブル内挿空間の真っすぐな領域でリンク体毎にケーブル類を内周側連結板へ押さえ込んで保持し、ケーブル類との間の相対移動を規制してケーブル類の位置ズレ、擦れを抑制する一方、ケーブル内挿空間の曲がった領域でリンク体毎に内周側連結板へ押さえ込まれて保持されたケーブル類を解放し、ケーブル類との間の相対移動を許容してケーブル類の相互間に生じがち引き攣れを解消することができるため、ケーブル類の移動時にケーブル類が横揺れ、もしくは相互に錯綜することなく順次屈曲して摩耗粉と断線の発生を抑制して優れた耐久性を発揮することができる。
【００２５】
そして、本請求項２に係る発明のケーブル保護案内具は、本請求項１に係る発明のケーブル保護案内具が奏する効果に加えて、ケーブル内挿空間へ膨出してリンク体連結方向に湾曲する円弧状ケーブル受け面が内周側連結板に形成されていることにより、ケーブル類に損傷を与えることなく滑らかに接触して押さえ込んだり、ケーブル類から滑らかに離反して解放することができるため、ケーブル内挿空間で保護されるケーブル類をリンク体毎に確実に規制してより一段と優れた耐久性を実現することができる。
【図面の簡単な説明】
【図１】本発明の一実施例であるケーブル保護案内具の全体外観図。
【図２】第１実施例のケーブル保護案内具で用いたリンク体の拡大図。
【図３】図１に示すケーブル保護案内具の動作説明図。
【図４】本発明の変形例であるケーブル保護案内具の動作説明図。
【符号の説明】
１００  ，２００  ・・・  ケーブル保護案内具
１１０    ・・・  リンク体
１１１    ・・・  側面板
１１１ａ  ・・・  連結ピン部
１１１ｂ  ・・・  連結孔部
１１１ｃ  ・・・    屈曲規制ストッパー
１１１ｄ  ・・・  屈曲誘導凹部
１１１ｅ  ・・・  連結腕収納部
１１２  ，２１２  ・・・  内周側連結板
１１２ａ  ・・・  円弧状ケーブル受け面
１１３  ，２１３  ・・・  外周側連結板
１１３ａ  ・・・  連結腕
１１３ｂ，２１３ｂ  ・・・  ケーブル押圧部
Ｃ    ・・・  ケーブル類
Ｚ    ・・・  ケーブル内挿空間
Ｚ１  ・・・  ケーブル内挿空間の真っすぐな領域
Ｚ２  ・・・  ケーブル内挿空間の曲がった領域
【図１】
2004242481.tif 000003
【図２】
2004242481.tif 000004
【図３】
2004242481.tif 000005
【図４】
2004242481.tif 000006